(57)【要約】      （修正有）【課題】簡単な構成で、グローブ本体に容易に着脱できるプレートを提供する。【解決手段】表面に文字や図形を記載できる記載部を構成し、裏面に面ファスナーのループ面を構成したプレート本体１１と、前記プレート本体１１に連結した表面に面ファスナーのフック面を構成した係止部１５とからなり、前記係止部１５のフック面と前記プレート本体１１のループ面によってグローブ３０に着脱自在に取り付けることができる。【選択図】図３
0003182765.tif 000002
【実用新案登録請求の範囲】
【請求項１】
表面に文字や図形等を記載する記載部を備え裏面に面ファスナーの一方の係合部を構成したプレート本体と、
前記プレート本体に連結した表面に面ファスナーの他方の係合部を構成した係止手段を構成し、
前記係止手段の係合部を前記プレート本体の係合部に着脱自在に係止して、
前記プレート本体をグローブに着脱自在に取り付けることを特徴とするグローブのプレート。
【考案の詳細な説明】
【技術分野】
【０００１】
本考案は、自分の名前や好みの言葉を記入してグローブ本体に着脱自在に取り付けることができるグローブのプレートに関するものである。
【背景技術】
【０００２】
従来より、野球のグローブに自分の名前やデザイン等を記入する場合には、グローブ表面に直接書き込むことが多かった。しかし、これでは、消すことができない上にグローブが汚れるため、ネームプレートを着脱自在に取り付けるために特許文献１に記載の発明が提案されていた。
【先行技術文献】
【特許文献】
【０００３】
【特許文献１】特開２０１０−９４４７７号公報
【０００４】
この発明は、野球グローブのネームプレートを取付ける箇所にグローブ製作段階で裁断パーツにネームプレートの大きさにグローブ本体窓（２）を開けておく。このグローブ本体窓（２）の裏側よりマジックテープ（登録商標）凹（３）を、グローブの表面にマジックテープ（登録商標）凹（３）が出るように縫製（７）等により取付ける。以上の様にして作った裁断パーツを使用して仕上げるネームプレート脱着機能付野球グローブである。
【考案の概要】
【考案が解決しようとする課題】
【０００５】
前記特許文献１記載の発明は、ネームプレートは脱着自在となったが、グローブ製作段階で、裁断パーツにネームプレートの大きさにグローブ本体窓を開ける必要があり、加工に手間がかるという問題点があった。
本考案はこのような問題点を解決するもので、簡単な構成でグローブ本体に容易に着脱できるグローブのプレートを提供することを目的とする。
【課題を解決するための手段】
【０００６】
請求項１に記載の考案は、表面に文字や図形等を記載する記載部を備え裏面に面ファスナーの一方の係合部を構成したプレート本体と、前記プレート本体に連結した表面に面ファスナーの他方の係合部を構成した係止手段を構成し、前記係止手段の係合部を前記プレート本体の係合部に着脱自在に係止して、前記プレート本体をグローブに着脱自在に取り付けることを特徴とするグローブのプレートである。
【考案の効果】
【０００７】
請求項１記載のグローブのプレートによれば、簡易な構成であるためプレートを容易に作成することができ、かつグローブに確実に取り付けることができるため、グローブの紛失等が防止できると共にグローブの装飾としても利用できる。また着脱自在であるため、随時取り替え可能である等の効果を奏する。
【図面の簡単な説明】
【０００８】
【図１】本考案の実施形態１の表面斜視図
【図２】本考案の実施形態１の裏面斜視図
【図３】本考案の実施形態１の使用状態を示す斜視図
【図４】本考案の実施形態１の使用状態の一部拡大断面説明図
【図５】本考案の実施形態１の使用状態を示す斜視図
【図６】本考案の実施形態１の使用状態を示す斜視図
【考案を実施するための形態】
【０００９】
本考案の実施形態１を図に基づいて説明する。
本考案でグローブとは、普通の野球のグローブとキャッチャーミット、ファーストミットを含むものとする。
図１、図２に示すように、表面に記載部１２を構成し、裏面に面ファスナーのループ面１３を構成した長方形状のプレート本体１１を構成する。
前記プレート本体１１はレザーで作成するが、これ以外の材質も使用できる。また形状や大きさあるいは色彩も任意に決定できる。
前記記載部１２には、自分の氏名あるいは所望の言葉や図形などを自分で記載したり、レザー彫刻あるいは焼印等の手段で記載することができる。
【００１０】
前記プレート本体１１の一端に係止部１５を連結する。
この係止部１５は、前記プレート本体１１と同様の形状であり、表面に面ファスナーのフック面１６を構成してある。
なお、前記プレート本体１１の裏面にフック面１６を構成し、係止部１５の表面にループ面１３を構成しても良い。
【００１１】
上記のように構成した実施形態１の作用を説明する。
図３、図４に示すように、前記係止部１５をグローブ３０としめ紐３１の間に通して、係止部１５のフック面１６をプレート本体１１のループ面１３に押し付けて係止し、全体をリング状にしてしめ紐３１に取り付ける。これによって、プレート１は確実にグローブ３０に取り付けられる。
【００１２】
プレート１を取り外す際は、係止部１５のフック面１６をプレート本体１１のループ面１３よりはがして、係止部１５をしめ紐３１より取り外すことで容易に取り外すことができる。
また、フック面１６のループ面１３への係止位置を自由に変えられるから、しめ紐３１の位置や形状にかかわらず、常に確実に取り付けることができる。
【００１３】
上述のようなグローブのプレートによれば次のような効果を奏する。
簡易な構成であるため自分の好みの文字や図形等を記入したプレート本体を自分で容易に作成することができる。そのためグローブを加工する必要がなく、グローブの所望の箇所に自分の名前や自分の好みの言葉等を記載したプレートを、簡単、確実、迅速に取り付けることができ、グローブの紛失等が防止できると共にグローブの装飾としても利用できる。
また面ファスナーによって取り付けているため着脱自在であり随時取り替え可能であり、公式試合などでプレート本体の取り付けが禁じられているとき等には簡単に取り外すことができる。
【００１４】
図５は、前記プレート１のグローブ３０への取り付け方法を示す他例を示している。この例では、グローブ３０の左側下部に１個の挿通穴３２をあけて、この挿通穴３２にプレート１を通して、プレート本体１１と係止部１５をリング状に係止して取り付けたものである。
【００１５】
前記挿通穴３２をあける位置と個数は任意であり、例えば図６に示すように挿通穴３２をグローブ３０の右側下部にあけることもでき、さらには仮想線で示したように、左側にもあけることもできる。
このような取り付け方法によれば、自分の好みの場所にプレート１を取り付けることができるのである。
【符号の説明】
【００１６】
１  プレート          １１  プレート本体
１２  記載部            １３  面ファスナーのループ面
１５  係止部            １６  面ファスナーのフック面
３０  グローブ          ３１  しめ紐
【図１】
0003182765.tif 000003
【図２】
0003182765.tif 000004
【図３】
0003182765.tif 000005
【図４】
0003182765.tif 000006
【図５】
0003182765.tif 000007
【図６】
0003182765.tif 000008